(57)【要約】【課題】プレゼンタ部またはカッター部において、ジャムとなった記録紙を迅速に、容易に除去することができる。【解決手段】記録紙に印字をする印字部と、前記印字がなされた前記記録紙を切断するカッター部と、前記カッター部を介し前記印字部において印字がなされた前記記録紙を搬送するプレゼンタ部と、を有し、前記カッター部は、回転軸を中心に回転可能な状態で、前記印字部に取り付けられており、前記回転軸を中心に前記カッター部を動かす場合には、前記プレゼンタ部も前記カッター部とともに動くものであることを特徴とするプリンタ装置を提供することにより上記課題を解決する。【選択図】  図５
2014091219.tif 000002
【特許請求の範囲】
【請求項１】
記録紙に印字をする印字部と、
前記印字がなされた前記記録紙を切断するカッター部と、
前記カッター部を介し前記印字部において印字がなされた前記記録紙を搬送するプレゼンタ部と、
を有し、
前記カッター部は、回転軸を中心に回転可能な状態で、前記印字部に取り付けられており、
前記回転軸を中心に前記カッター部を動かす場合には、前記プレゼンタ部も前記カッター部とともに動くものであることを特徴とするプリンタ装置。
【請求項２】
記録媒体に印字をする印字部と、
前記印字部により印字された前記記録紙を切断するカッターを有し、前記印字部に回転軸により回動可能に軸支されているカッター部と、
前記カッター部を介して搬送される前記記録紙を搬送する前記カッター部と一体化されたプレゼンタ部と、
を有し、
前記カッター部の回動で、前記印字部と前記カッター部との間の搬送路が解放することを特徴とするプリンタ装置。
【請求項３】
前記回転軸は第１の回転軸であって、
前記プレゼンタ部には、前記プレゼンタ部の搬送路においてジャムとなった記録紙を除去するため、前記第１の回転軸とは異なる第２の回転軸を中心に回転する搬送路カバーが設けられていることを特徴とする請求項１または２に記載のプリンタ装置。
【請求項４】
前記カッター部と前記プレゼンタ部とは一体に形成されているものであることを特徴とする請求項１から３のいずれかに記載のプリンタ装置。
【請求項５】
前記カッター部と前記プレゼンタ部とを一体に形成したカッターユニットには、一つのモータが設けられており、
前記一つのモータにより、前記カッター部における可動刃を動かす動作と、前記プレゼンタ部におけるローラを回転させる動作とを行うことができるものであることを特徴とする請求項４に記載のプリンタ装置。
【請求項６】
前記カッター部における可動刃を動かす動作と、前記プレゼンタ部におけるローラを回転させる動作との切替えは、前記モータの回転が伝達されるギアの位置を動かすことによりなされるものであることを特徴とする請求項５に記載のプリンタ装置。
【請求項７】
前記カッター部における可動刃を動かす動作と、前記プレゼンタ部におけるローラを回転させる動作との切替えは、前記モータの回転を切り替えることによりなされるものであることを特徴とする請求項５または６に記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated  Teller  Machine）やＣＤ（Cash  dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙を切断するものである。
【０００３】
このようなレシート等を発行するプリンタにおいては、カッターによりカットされた記録紙を搬送するためのプレゼンタが設けられているものがある。このようなプレゼンタを設けることにより、印字のなされた記録紙がプレゼンタ内に入り込みカットされ、プレゼンタを介して排出される。このように排出された印字のなされた記録紙は抜き取られる。
【０００４】
また、このようなプレゼンタにおいては、プレゼンタとしての機能の他、排出された記録紙、即ち、印字がされているレシート等を取り忘れた場合に、他人に印字のなされたレシート等を抜き取られてしまうことを防ぐため、印字のなされた記録紙を回収するリトラクタ機能を有するものもある。
【先行技術文献】
【特許文献】
【０００５】
【特許文献１】特開２００３−１９８４５号公報
【特許文献２】特開２００７−１３０８４２号公報
【発明の概要】
【発明が解決しようとする課題】
【０００６】
ところで、一般的には、プレゼンタはカッターの後段に設置されるものであるが、このようなプリンタ装置においては、記録紙が詰まった場合（ジャムとなった場合）、ジャムとなった記録紙を除去するためには、プレゼンタ及びカッター部の双方を動かすことが必要となる場合がある。
【０００７】
例えば、図１に示されるようなプリンタ装置の場合では、サーマルヘッド９２１とプラテンローラ９２２を有する印字部９２０において印字のなされた記録紙９１０は、カッター部９３０に設けられた固定刃９３１と可動刃９３２の間を通り、プレゼンタ部９４０に入り搬送される。記録紙９１０は、プレゼンタ部９４０に入った状態で、カッター部９３０に設けられている固定刃９３１と可動刃９３２により、所定の長さで切断される。
【０００８】
ここで、図１に示されるように、カッター部９３０とプレゼンタ部９４０とが分離しているプリンタ装置においては、カッター部９３０において記録紙９１０がジャムとなった場合には、カッター部９３０を動かし、ジャムとなった記録紙９１０を取り除くことができる。また、プレゼンタ部９４０において記録紙９１０がジャムとなった場合には、プレゼンタ部９４０を動かし、ジャムとなった記録紙９１０を取り除くことができる。
【０００９】
一般的に、プリンタ装置は小型化が求められていることから、カッター部９３０とプレゼンタ部９４０とは近接した位置に配置されている。このため、図１に示される構造のプリンタ装置においては、プレゼンタ部９４０において記録紙９１０がジャムとなった場合には、図２（ａ）に示されるように、プレゼンタ部９４０における開閉部９４１を開くことにより除去することが可能であるが、カッター部９３０において記録紙９１０がジャムとなった場合には、図２（ｂ）に示されるように、プレゼンタ部９４０の全体を動かして、カッター部９３０を動かすスペースを確保した後、カッター部９３０を動かすことが必要となるため、プレゼンタ部９４０とカッター部９３０の双方を動かすことが必要となる。このように、カッター部９３０とプレゼンタ部９４０の双方を動かすことは、ジャムとなった記録紙を取り除くための時間を要し、手間取る場合がある。
【００１０】
本発明は、上記に鑑みてなされたものであり、プレゼンタ部またはカッター部において、ジャムとなった記録紙を迅速に、また、容易に除去することのできるプリンタ装置を提供することを目的とする。
【課題を解決するための手段】
【００１１】
本実施の形態の一観点によれば、記録紙に印字をする印字部と、前記印字がなされた前記記録紙を切断するカッター部と、前記カッター部を介し前記印字部において印字がなされた前記記録紙を搬送するプレゼンタ部と、を有し、前記カッター部は、回転軸を中心に回転可能な状態で、前記印字部に取り付けられており、前記回転軸を中心に前記カッター部を動かす場合には、前記プレゼンタ部も前記カッター部とともに動くものであることを特徴とする。
【００１２】
また、本実施の形態の他の一観点によれば、記録媒体に印字をする印字部と、前記印字部により印字された前記記録媒体を切断するカッターを有し、前記印字部に回転軸により回動可能に軸支されているカッター部と、前記カッター部を介して搬送される前記記録紙を搬送する前記カッター部と一体化されたプレゼンタ部と、を有し、前記カッター部の回動で、前記印字部と前記カッター部との間の搬送路が解放することを特徴とする。
【発明の効果】
【００１３】
本発明によれば、プレゼンタ部またはカッター部において、ジャムとなった記録紙を迅速に、また、容易に除去することのできるプリンタ装置を提供することができる。
【図面の簡単な説明】
【００１４】
【図１】従来のプリンタ装置の説明図（１）
【図２】従来のプリンタ装置の説明図（２）
【図３】第１の実施の形態におけるプリンタ装置の構造図
【図４】第１の実施の形態におけるプリンタ装置の説明図（１）
【図５】第１の実施の形態におけるプリンタ装置の説明図（２）
【図６】第１の実施の形態における他のプリンタ装置の構造図
【図７】第２の実施の形態におけるプリンタ装置の構造図
【図８】第２の実施の形態におけるプリンタ装置の説明図（１）
【図９】第２の実施の形態におけるプリンタ装置の説明図（２）
【図１０】第２の実施の形態におけるプリンタ装置の説明図（３）
【図１１】第２の実施の形態における他のプリンタ装置の説明図（１）
【図１２】第２の実施の形態における他のプリンタ装置の説明図（２）
【図１３】第２の実施の形態における他のプリンタ装置の説明図（３）
【発明を実施するための形態】
【００１５】
本発明を実施するための形態について、以下に説明する。尚、同じ部材等については、同一の符号を付して説明を省略する。
【００１６】
〔第１の実施の形態〕
第１の実施の形態におけるプリンタ装置について説明する。本実施の形態におけるプリンタ装置は、図３に示されるように、記録紙１０に印字を行うための印字部２０、記録紙１０を切断するためのカッター部３０、プレゼンタ機能等を有するプレゼンタ部４０等を有している。
【００１７】
印字部２０では、サーマルヘッド２１とプラテンローラ２２とを有しており、サーマルヘッド２１とプラテンローラ２２との間に記録紙１０が挟まれた状態で、サーマルヘッド２１により記録紙１０に印字等がなされる。記録紙１０は印字面が上側となって排紙されるため、サーマルヘッド２１は記録紙１０の上側の位置に設けられている。
【００１８】
カッター部３０は、サーマルヘッド２１により印字のなされた記録紙１０を切断するための固定刃３１及び可動刃３２を有しており、固定刃３１と可動刃３２との間に通された印字等のなされた記録紙１０は、固定刃３１と可動刃３２とにより、所望の長さに切断することができる。カッター部３０は、印字部２０を含むプリンタ装置の本体と第１の回転軸３３を中心に回転可能な状態で取り付けられている。また、カッター部３０には、可動刃３２を上下方向に駆動するためのモータ３４が設けられている。
【００１９】
プレゼンタ部４０は、カッター部３０の後段に設置されており、記録紙１０を搬送する機能を有している。プレゼンタ部４０には、第２の回転軸４１ａにおいて回転可能な状態で接続された搬送路カバー４１が設けられており、第２の回転軸４１ａを中心に搬送路カバー４１を回転させることにより、プレゼンタ部４０を開閉することができる。また、プレゼンタ部４０には、記録紙１０を搬送するためのローラ４２、４３、４４、４５が設けられており、モータ４６により、ローラ４２、４３、４４、４５を所定の方向に回転させることにより、印字等のなされた記録紙１０を搬送することができる。尚、本実施の形態においては、ローラ４３、４５は搬送路カバー４１に設置されており、記録紙１０は、ローラ４２とローラ４３の間、及び、ローラ４４とローラ４５の間を通り搬送される。
【００２０】
本実施の形態においては、プレゼンタ部４０において記録紙１０がジャムとなった場合には、図４に示すように、第２の回転軸４１ａを中心に搬送路カバー４１を回転させて、プレゼンタ部４０の内部を開き、プレゼンタ部４０の内部においてジャムとなった記録紙１０を取り除くことができる。尚、本実施の形態においては、記録紙がジャムとなったとは、記録紙が詰まり搬送等ができなくなった状態、例えば、記録紙が詰まって、記録紙が「ぐしゃぐしゃ」となり、記録紙の搬送等ができなくなった状態を意味するものとする。
【００２１】
また、カッター部３０において記録紙１０がジャムとなった場合には、図５に示すように、第１の回転軸３３を中心に、カッター部３０とプレゼンタ部４０とを一体に回転させることにより、カッター部３０とサーマルヘッド２１との間を開くことができる。これにより、カッター部３０においてジャムとなった記録紙１０を取り除くことができる。
【００２２】
このように、本実施の形態におけるプリンタ装置においては、プレゼンタ部４０において記録紙１０がジャムとなった場合には、プレゼンタ部４０における搬送路カバー４１を、第２の回転軸４１ａを中心に回転させて開くことにより、ジャムとなった記録紙１０を取り除くことができる。また、カッター部３０において記録紙１０がジャムとなった場合には、プレゼンタ部４０とカッター部３０とを一緒に、カッター部３０における第１の回転軸３３を中心に回転させて、サーマルヘッド２１とカッター部３０との間を開くことにより、ジャムとなった記録紙１０を取り除くことができる。よって、プレゼンタ部４０において記録紙１０がジャムとなった場合においても、また、カッター部３０において記録紙１０がジャムとなった場合においても、一回の開閉動作により、ジャムとなった記録紙１０を取り除くことができる。従って、短時間で容易に、ジャムとなった記録紙１０を取り除くことができる。
【００２３】
また、本実施の形態におけるプリンタ装置においては、図６に示されるように、カッター部３０とプレゼンタ部４０とが一体となるように接続されているカッターユニット１５０が設けられているものであってもよい。このようなカッターユニット１５０を設けることにより、カッター部３０及びプレゼンタ部４０をメンテナンス等において同時に交換する場合において、交換が一回ですむため、メンテナンス等を効率的に行うことができる。
【００２４】
〔第２の実施の形態〕
次に、第２の実施の形態について説明する。本実施の形態におけるプリンタ装置は、図７に示されるように、第１の実施の形態におけるカッター部とプレゼンタ部とを一体に形成したカッターユニット２５０を有するプリンタ装置である。カッターユニット２５０には、サーマルヘッド２１及びプラテンローラ２２が設けられている側に、記録紙１０を切断するための固定刃３１及び可動刃３２が設けられており、記録紙１０を搬送するためのローラ４２、４３、４４、４５が設けられており、更には、搬送路カバー４１が設けられている。また、本実施の形態におけるプリンタ装置においては、図７には図示されてはいないがモータ等も設けられている。
【００２５】
本実施の形態におけるプリンタ装置では、ローラ４２、４３、４４、４５が設けられている部分の近傍において、記録紙１０がジャムとなった場合には、第１の実施の形態と同様に、搬送路カバー４１を開くことにより、ジャムとなった記録紙１０を取り除くことができる。また、固定刃３１及び可動刃３２が設けられている部分の近傍において、記録紙１０がジャムとなった場合には、カッターユニット２５０を動かすことにより、ジャムとなった記録紙１０を取り除くことができる。
【００２６】
また、本実施の形態におけるプリンタ装置は、図８に示されるように、可動刃３２とローラ４２等とが一つのモータ２６０により駆動されるものであってもよい。一般的には、サーマルヘッドが搭載されたプリンタ装置等においては、カッター部とプレゼンタ部は分離しているため、カッター部において可動刃を駆動するためのモータと、プレゼンタ部においてローラを回転させるためのモータと、２つのモータが設けられている。
【００２７】
本実施の形態におけるプリンタ装置においては、カッターユニット２５０は、記録紙１０を切断するための固定刃３１及び可動刃３２と、記録紙１０を搬送するためのローラ４２等を有しており、可動刃３２とローラ４２等とを一つのモータ２６０により駆動することが可能である。
【００２８】
具体的には、図８に示されるように、本実施の形態におけるプリンタ装置のカッターユニット２５０には、モータ２６０、第１のギア２６１、第２のギア２６２、第３のギア２６３、第４のギア２６４、第５のギア２６５が設けられている。第１のギア２６１はモータ２６０の回転軸と同一軸に設けられており、モータ２６０を回転させることにより、第１のギア２６１が回転する。第２のギア２６２は第１のギア２６１と噛み合っており、第１のギア２６１が回転することにより第２のギア２６２が回転する。第３のギア２６３は第２のギア２６２と噛み合っており、第２のギア２６２が回転することにより第３のギア２６３が回転する。第４のギア２６４はローラ４２の回転軸に設けられている。また、第５のギア２６５は可動刃３２に設けられたギア部３２ａと噛み合っている。
【００２９】
本実施の形態におけるプリンタ装置においては、第３のギア２６３の位置を動かすことにより、ローラ４２等を回転させる動作と、可動刃３２を上下方向に移動させる動作とを選択して行うことができる。
【００３０】
具体的には、図９に示すように、第３のギア２６３を第４のギア２６４と噛み合う位置に移動させた状態において、モータ２６０を回転させることによりローラ４２等を回転させて記録紙１０を搬送することができる。即ち、第３のギア２６３を第４のギア２６４と噛み合う位置に移動させた状態で、モータ２６０を反時計回りに回転させると、第１のギア２６１も反時計回りに回転し、第２のギア２６２が時計回りに回転し、第３のギア２６３が反時計回りに回転し、第４のギア２６４が時計回りに回転し、ローラ４２も時計回りに回転する。このようにローラ４２等が回転することにより、記録紙１０を搬送することができる。
【００３１】
また、図１０に示すように、第３のギア２６３を第５のギア２６５と噛み合う位置に移動させた状態において、モータ２６０を回転させることにより可動刃３２を下方向に動かし記録紙１０を切断することができる。即ち、第３のギア２６３を第５のギア２６５と噛み合う位置に移動させた状態で、モータ２６０を反時計回りに回転させると、第１のギア２６１も反時計回りに回転し、第２のギア２６２が時計回りに回転し、第３のギア２６３が反時計回りに回転し、第５のギア２６５が時計回りに回転し、ギア部３２ａが下方向に移動することにより、可動刃３２が下方向に移動する。これにより、固定刃３１と可動刃３２により記録紙１０を切断することができる。
【００３２】
以上のように、本実施の形態におけるプリンタ装置においては、一つのモータ２６０により、ローラ４２等を回転させる動作と、可動刃３２を動かす動作とを選択して行うことができる。よって、プリンタ装置をより一層の小型化、低コスト化することが可能である。
【００３３】
また、本実施の形態におけるプリンタ装置は、図１１に示されるように、第５のギア２６５が設けられていない構造のものであってもよい。この構造のプリンタ装置において記録紙１０を搬送する場合には、図１２に示されるように、図９と同様に、第３のギア２６３と第４のギア２６４とが噛み合う状態に、第３のギア２６３を移動させて、モータ２６０を反時計回りに回転させる。また、記録紙１０を切断する場合には、第３のギア２６３をギア部３２ａと噛み合う状態に移動させて、モータ２６０を時計回りに回転させる。このように、第３のギア２６３の位置を移動させるとともに、モータ２６０の回転方向を切り替えることにより、記録紙１０の搬送動作と記録紙１０の切断動作とを切り替えることができる。
【００３４】
尚、上記以外の内容については、第１の実施の形態と同様である。
【００３５】
以上、本発明の実施に係る形態について説明したが、上記内容は、発明の内容を限定するものではない。
【符号の説明】
【００３６】
１０        記録紙
２０        印字部
２１        サーマルヘッド
２２        プラテンローラ
３０        カッター部
３１        固定刃
３２        可動刃
３２ａ      ギア部
３３        第１の回転軸
３４        モータ
４０        プレゼンタ部
４１        搬送路カバー
４１ａ      第２の回転軸
４２        ローラ
４３        ローラ
４４        ローラ
４５        ローラ
４６        モータ
２６０      モータ
２６１      第１のギア
２６２      第２のギア
２６３      第３のギア
２６４      第４のギア
２６５      第５のギア
【図１】
2014091219.tif 000003
【図２】
2014091219.tif 000004
【図３】
2014091219.tif 000005
【図４】
2014091219.tif 000006
【図５】
2014091219.tif 000007
【図６】
2014091219.tif 000008
【図７】
2014091219.tif 000009
【図８】
2014091219.tif 000010
【図９】
2014091219.tif 000011
【図１０】
2014091219.tif 000012
【図１１】
2014091219.tif 000013
【図１２】
2014091219.tif 000014
【図１３】
2014091219.tif 000015